(57)【要約】      （修正有）【課題】移動体の走行中に地図上の施設に関する様々な情報を表示することが可能な情報表示装置を提供する。【解決手段】車両などの移動体に搭載される携帯端末などにより実現される情報表示装置１１０は、移動体の進行方向に関する情報を取得するとともに、ユーザによる指定などにより検索の対象となる施設を特定する。そして、特定された施設の名称に関する第１キーワード３１と、進行方向に関する第２キーワード４２に基づいてＷｅｂ検索を行い、その結果を表示する。【選択図】図３
2019194866.tif 000002
【特許請求の範囲】
【請求項１】
検索の対象とする施設の名称に関する情報と、進行方向に関する情報と、を取得する第１取得手段と、
取得した施設の名称に関する情報と進行方向に関する情報とを用いてインターネット検索された検索結果を取得する第２取得手段と、
前記検索結果と、前記インターネット検索に用いた施設の名称に関する情報と進行方向に関する情報と、を表示部に表示させる表示制御手段と、を備え、
前記表示部に表示される前記進行方向に関する情報は、前記施設に応じて、上りもしくは下り、または、内回りもしくは外回り、または、東行きもしくは西行きと表されることを特徴とする情報表示装置。
【請求項２】
情報表示装置により実行される情報表示方法であって、
検索の対象とする施設の名称に関する情報と、進行方向に関する情報と、を取得する第１取得工程と、
取得した施設の名称に関する情報と進行方向に関する情報とを用いてインターネット検索された検索結果を取得する第２取得工程と、
前記検索結果と、前記インターネット検索に用いた施設の名称に関する情報と進行方向に関する情報と、を表示部に表示させる表示制御工程と、を備え、
前記表示部に表示される前記進行方向に関する情報は、前記施設に応じて、上りもしくは下り、または、内回りもしくは外回り、または、東行きもしくは西行きと表されることを特徴とする情報表示方法。
【請求項３】
コンピュータを備える情報表示装置により実行されるプログラムであって、
検索の対象とする施設の名称に関する情報と、進行方向に関する情報と、を取得する第１取得手段、
取得した施設の名称に関する情報と進行方向に関する情報とを用いてインターネット検索された検索結果を取得する第２取得手段、
前記検索結果と、前記インターネット検索に用いた施設の名称に関する情報と進行方向に関する情報と、を表示部に表示させる表示制御手段、として前記コンピュータを機能させ、
前記表示部に表示される前記進行方向に関する情報は、前記施設に応じて、上りもしくは下り、または、内回りもしくは外回り、または、東行きもしくは西行きと表されることを特徴とするプログラム。
【請求項４】
検索の対象とする施設の名称に関する情報と、進行方向に関する情報と、を取得する第１取得手段と、
前記施設の名称に関する情報と、前記進行方向に関する情報とを含む検索指示画面を表示部に表示する第１表示制御手段と、
前記検索指示画面に対する指示に応じて、前記施設の名称に関する情報と進行方向に関する情報とを用いてインターネット検索された検索結果を取得する第２取得手段と、
前記検索結果を前記表示部に表示させる第２表示制御手段と、を備え、
前記表示部に表示される前記進行方向に関する情報は、前記施設に応じて、上りもしくは下り、または、内回りもしくは外回り、または、東行きもしくは西行きと表されることを特徴とする情報表示装置。
【請求項５】
情報表示装置により実行される情報表示方法であって、
検索の対象とする施設の名称に関する情報と、進行方向に関する情報と、を取得する第１取得工程と、
前記施設の名称に関する情報と、前記進行方向に関する情報とを含む検索指示画面を表示部に表示する第１表示制御工程と、
前記検索指示画面に対する指示に応じて、前記施設の名称に関する情報と進行方向に関する情報とを用いてインターネット検索された検索結果を取得する第２取得工程と、
前記検索結果を前記表示部に表示させる第２表示制御工程と、を備え、
前記表示部に表示される前記進行方向に関する情報は、前記施設に応じて、上りもしくは下り、または、内回りもしくは外回り、または、東行きもしくは西行きと表されることを特徴とする情報表示方法。
【請求項６】
コンピュータを備える情報表示装置により実行されるプログラムであって、
検索の対象とする施設の名称に関する情報と、進行方向に関する情報と、を取得する第１取得手段、
前記施設の名称に関する情報と、前記進行方向に関する情報とを含む検索指示画面を表示部に表示する第１表示制御手段、
前記検索指示画面に対する指示に応じて、前記施設の名称に関する情報と進行方向に関する情報とを用いてインターネット検索された検索結果を取得する第２取得手段、
前記検索結果を前記表示部に表示させる第２表示制御手段、として前記コンピュータを機能させ、
前記表示部に表示される前記進行方向に関する情報は、前記施設に応じて、上りもしくは下り、または、内回りもしくは外回り、または、東行きもしくは西行きと表されることを特徴とするプログラム。
【請求項７】
請求項３又は６に記載のプログラムを記憶した記憶媒体。
【発明の詳細な説明】
【技術分野】
【０００１】
本発明は、移動体の走行中に施設情報を検索する技術に関する。
【背景技術】
【０００２】
自動車に搭載されるナビゲーション装置において、施設に関する情報を記憶部から検索して表示する技術が知られている。例えば特許文献１には、ナビゲーション装置において、高速道路に付随する施設（パーキングエリアやサービスエリア等）の一覧画面を表示したのち、「進行方向で絞り込み」ボタンが操作された際には、高速道路の路線の自車の進行方向側の区間に接続する施設のみに絞り込んで施設情報を表示する手法が記載されている。
【先行技術文献】
【特許文献】
【０００３】
【特許文献１】特開２０１０−３８８６０号公報
【発明の概要】
【発明が解決しようとする課題】
【０００４】
従来のナビゲーション装置においては、施設情報を得るにあたって、地図情報とともに施設データが記憶されている記憶部から検索することが一般的である。この場合、記憶部の容量との兼ね合いから、施設データの情報は簡易的なものであることが通常であり、詳細な施設データやリアルタイムの情報（いわゆる口コミ情報等）を得ることはできない。
【０００５】
本発明は、上記のような課題を解決するためになされたものであり、移動体の走行中に地図上の施設に関する様々な情報を表示することが可能な情報表示装置を提供することを主な目的とする。
【課題を解決するための手段】
【０００６】
請求項に記載の発明は、情報表示装置であって、検索の対象とする施設の名称に関する情報と、進行方向に関する情報と、を取得する第１取得手段と、取得した施設の名称に関する情報と進行方向に関する情報とを用いてインターネット検索された検索結果を取得する第２取得手段と、前記検索結果と、前記インターネット検索に用いた施設の名称に関する情報と進行方向に関する情報と、を表示部に表示させる表示制御手段と、を備え、前記表示部に表示される前記進行方向に関する情報は、前記施設に応じて、上りもしくは下り、または、内回りもしくは外回り、または、東行きもしくは西行きと表されることを特徴とする。
【０００７】
他の請求項に記載の発明は、情報表示装置により実行される情報表示方法であって、検索の対象とする施設の名称に関する情報と、進行方向に関する情報と、を取得する第１取得工程と、取得した施設の名称に関する情報と進行方向に関する情報とを用いてインターネット検索された検索結果を取得する第２取得工程と、前記検索結果と、前記インターネット検索に用いた施設の名称に関する情報と進行方向に関する情報と、を表示部に表示させる表示制御工程と、を備え、前記表示部に表示される前記進行方向に関する情報は、前記施設に応じて、上りもしくは下り、または、内回りもしくは外回り、または、東行きもしくは西行きと表されることを特徴とする。
【０００８】
他の請求項に記載の発明は、コンピュータを備える情報表示装置により実行されるプログラムであって、検索の対象とする施設の名称に関する情報と、進行方向に関する情報と、を取得する第１取得手段、取得した施設の名称に関する情報と進行方向に関する情報とを用いてインターネット検索された検索結果を取得する第２取得手段、前記検索結果と、前記インターネット検索に用いた施設の名称に関する情報と進行方向に関する情報と、を表示部に表示させる表示制御手段、として前記コンピュータを機能させ、前記表示部に表示される前記進行方向に関する情報は、前記施設に応じて、上りもしくは下り、または、内回りもしくは外回り、または、東行きもしくは西行きと表されることを特徴とする。
【０００９】
他の請求項に記載の発明は、情報表示装置であって、検索の対象とする施設の名称に関する情報と、進行方向に関する情報と、を取得する第１取得手段と、前記施設の名称に関する情報と、前記進行方向に関する情報とを含む検索指示画面を表示部に表示する第１表示制御手段と、前記検索指示画面に対する指示に応じて、前記施設の名称に関する情報と進行方向に関する情報とを用いてインターネット検索された検索結果を取得する第２取得手段と、前記検索結果を前記表示部に表示させる第２表示制御手段と、を備え、前記表示部に表示される前記進行方向に関する情報は、前記施設に応じて、上りもしくは下り、または、内回りもしくは外回り、または、東行きもしくは西行きと表されることを特徴とする。
【００１０】
他の請求項に記載の発明は、情報表示装置により実行される情報表示方法であって、検索の対象とする施設の名称に関する情報と、進行方向に関する情報と、を取得する第１取得工程と、前記施設の名称に関する情報と、前記進行方向に関する情報とを含む検索指示画面を表示部に表示する第１表示制御工程と、前記検索指示画面に対する指示に応じて、前記施設の名称に関する情報と進行方向に関する情報とを用いてインターネット検索された検索結果を取得する第２取得工程と、前記検索結果を前記表示部に表示させる第２表示制御工程と、を備え、前記表示部に表示される前記進行方向に関する情報は、前記施設に応じて、上りもしくは下り、または、内回りもしくは外回り、または、東行きもしくは西行きと表されることを特徴とする。
【００１１】
他の請求項に記載の発明は、コンピュータを備える情報表示装置により実行されるプログラムであって、検索の対象とする施設の名称に関する情報と、進行方向に関する情報と、を取得する第１取得手段、前記施設の名称に関する情報と、前記進行方向に関する情報とを含む検索指示画面を表示部に表示する第１表示制御手段、前記検索指示画面に対する指示に応じて、前記施設の名称に関する情報と進行方向に関する情報とを用いてインターネット検索された検索結果を取得する第２取得手段、前記検索結果を前記表示部に表示させる第２表示制御手段、として前記コンピュータを機能させ、前記表示部に表示される前記進行方向に関する情報は、前記施設に応じて、上りもしくは下り、または、内回りもしくは外回り、または、東行きもしくは西行きと表されることを特徴とする。
【図面の簡単な説明】
【００１２】
【図１】携帯端末の正面図を示す。
【図２】携帯端末の概略構成を示す。
【図３】第１実施例の検索処理における表示例を示す。
【図４】第１実施例による検索処理のフローチャートである。
【図５】第２実施例及び第３実施例の検索処理における表示例を示す。
【図６】第３実施例及び第４実施例の検索処理における表示例を示す。
【図７】第５実施例の検索処理における表示例を示す。
【図８】第５実施例による検索処理のフローチャートである。
【図９】変形例に係るシステムの構成例を示す。
【発明を実施するための形態】
【００１３】
本発明の好適な実施形態では、情報表示装置は、移動体の進行方向に関する情報を取得する進行方向取得部と、インターネットを利用した情報の検索結果を取得する検索結果取得部と、検索の対象となる施設を特定する特定部と、前記検索結果取得部による検索結果を表示する表示部と、を備え、前記検索結果取得部は、前記特定部によって特定された施設の名称に関する第１キーワードと、前記進行方向取得部によって取得された進行方向に関する情報に基づいた第２キーワードとに基づいた検索結果を取得する。
【００１４】
上記の情報表示装置は、好適な例としては車両などの移動体に搭載される携帯端末などにより実現される。情報表示装置は、移動体の進行方向に関する情報を取得するとともに、ユーザによる指定、その他の方法により検索の対象となる施設を特定する。そして、特定された施設の名称に関する第１キーワードと、進行方向に関する第２キーワードに基づいてインターネットを利用した検索を行い、その結果を表示する。これにより、移動体の進行中に、関心のある施設について様々な情報を取得することができる。また、進行方向に関連するキーワードを含めて検索を行うことにより、現在の進行方向や今後の走行ルートなどと関連の低い情報を効果的に除外することができる。
【００１５】
上記の情報表示装置の一態様では、前記進行方向に関する情報は、前記移動体の経路に関する経路情報とする。これにより、移動体の経路に関連する情報を効率的に取得して表示することができる。
【００１６】
上記の情報表示装置の他の一態様では、前記施設は、高速道路に付随するサービスエリア又はパーキングエリアであり、前記第２キーワードは、前記高速道路の上り方向又は下り方向を示す情報とする。これにより、高速道路を走行中に、上り線と下り線のうち、現在走行している側の施設に関連する情報のみを効率的に取得し表示することができるようになる。
【００１７】
本発明の他の好適な実施形態では、情報表示装置により実行される情報表示方法は、移動体の進行方向に関する情報を取得する進行方向取得工程と、インターネットを利用した情報の検索結果を取得する検索結果取得工程と、検索の対象となる施設を特定する特定工程と、前記検索結果取得工程による検索結果を表示する表示工程と、を備え、前記検索結果取得工程は、前記特定工程によって特定された施設の名称に関する第１キーワードと、前記進行方向取得工程によって取得された進行方向に関する情報に基づいた第２キーワードとに基づいた検索結果を取得する。この方法によっても、移動体の進行中に、関心のある施設について様々な情報を取得することができる。また、進行方向に関連するキーワードを含めて検索を行うことにより、現在の進行方向や今後の走行ルートなどと関連の低い情報を効果的に除外することができる。
【００１８】
本発明の他の好適な実施形態では、情報表示装置により実行される情報表示プログラムは、移動体の進行方向に関する情報を取得する進行方向取得部、インターネットを利用した情報の検索結果を取得する検索結果取得部、検索の対象となる施設を特定する特定部、前記検索結果取得部による検索結果を表示する表示部、として前記情報表示装置を機能させ、前記検索結果取得部は、前記特定部によって特定された施設の名称に関する第１キーワードと、前記進行方向取得部によって取得された進行方向に関する情報に基づいた第２キーワードとに基づいた検索結果を取得する。このプログラムを実行することによっても、移動体の進行中に、関心のある施設について様々な情報を取得することができる。また、進行方向に関連するキーワードを含めて検索を行うことにより、現在の進行方向や今後の走行ルートなどと関連の低い情報を効果的に除外することができる。
【００１９】
本発明の他の好適な実施形態では、表示部を有する情報表示装置は、移動体の経路に関する経路情報を取得する経路情報取得部と、インターネットを利用した情報の検索結果を取得する検索結果取得部と、前記経路の付近に存在する施設のうち、検索の対象となる施設を特定する特定部と、前記特定部によって特定された施設の案内情報と、前記特定された施設の名称に関する第１キーワードに基づいて前記検索結果取得部に前記検索結果を取得させるための検索ボタンと、を含む案内画面情報を前記表示部に表示させる表示制御部と、を備える。
【００２０】
上記の情報表示装置は、好適な例としては車両などの移動体に搭載される携帯端末などにより実現される。情報表示装置は、移動体の経路に関する情報を取得するとともに、ユーザによる指定、その他の方法により検索の対象となる施設を特定する。そして、特定された施設の案内情報と、特定された施設の名称に関する第１キーワードに基づいて検索結果を取得するための指示を行うボタンとを含む案内画面情報を表示する。ユーザは、案内画面情報中のボタンにタッチすることにより、関心のある施設についてインターネットを利用した検索を通じて様々な情報を取得することができる。
【００２１】
本発明の他の好適な実施形態では、表示部を有する情報表示装置によって実行される情報表示方法は、移動体の経路に関する経路情報を取得する経路情報取得工程と、インターネットを利用した情報の検索結果を取得する検索結果取得工程と、前記経路の付近に存在する施設のうち、検索の対象となる施設を特定する特定工程と、前記特定工程によって特定された施設の案内情報と、前記特定された施設の名称に関する第１キーワードに基づいて前記検索結果取得工程に前記検索結果を取得させるための検索ボタンと、を含む案内画面情報を前記表示部に表示させる表示制御工程と、を備える。この方法によっても、移動体の進行中に、関心のある施設についてインターネットを利用した検索を通じて様々な情報を取得することができる。
【００２２】
本発明の他の好適な実施形態では、表示部を有する情報表示装置によって実行される情報表示プログラムは、移動体の経路に関する経路情報を取得する経路情報取得部、インターネットを利用した情報の検索結果を取得する検索結果取得部、前記経路の付近に存在する施設のうち、検索の対象となる施設を特定する特定部、前記特定部によって特定された施設の案内情報と、前記特定された施設の名称に関する第１キーワードに基づいて前記検索結果取得部に前記検索結果を取得させるための検索ボタンと、を含む案内画面情報を前記表示部に表示させる表示制御部、として前記情報表示装置を機能させる。このプログラムを実行することにより、移動体の進行中に、関心のある施設についてインターネットを利用した検索を通じて様々な情報を取得することができる。
【実施例】
【００２３】
以下、図面を参照して本発明の好適な実施例について説明する。
【００２４】
［１］全体構成
図１は、本発明に係る情報表示装置が適用された携帯端末１００の正面図を示す。携帯端末１００は、利用者が持ち運び可能な携帯型端末であって、タッチパネル１２０が積層されたディスプレイ１１０を有する。携帯端末１００は、車両等を対象にして、指定された目的地へのルート（経路）案内を行う。
【００２５】
図２は、携帯端末１００の概略構成を示す。図２に示すように、携帯端末１００は、出力部１１と、入力部１２と、記憶部１３と、通信部１４と、バッテリ１５と、ＧＰＳ受信機１６と、制御部１７と、を備える。携帯端末１００の各要素は、バス１０を介して相互に接続され、各要素間で必要な情報が伝送可能なように構成されている。
【００２６】
出力部１１は、ディスプレイ１１０や音声を出力するスピーカ１１１などを備え、制御部１７の制御に基づき、携帯端末１００の利用者の操作に応答するための情報を出力する。入力部１２は、タッチパネル１２０を備え、携帯端末１００に対して端末利用者が行う必要な命令や情報の入力、即ち操作を受け付けるインタフェースである。例えば、入力部１２は、目的地を指定する入力や、ルート探索の条件を指定する入力などを受け付ける。なお、入力部１２は、タッチパネル１２０に加え、各種コマンドやデータを入力するための、キー、スイッチ、ボタン、音声入力装置等を有してもよい。
【００２７】
記憶部１３は、携帯端末１００の動作を制御するためのプログラムを保存したり、携帯端末１００の動作に必要な情報を保持したりする。例えば、記憶部１３は、地図データなどのナビゲーション処理に用いられる各種データを記憶する。地図データは、道路に相当するリンクと、道路の接続部分（交差点）に相当するノードとにより表された道路データや、各施設に関する施設情報などを含む。
【００２８】
通信部１４は、所定のプロトコルに従い、他の装置とデータの送受信を行う。例えば、通信部１４は、制御部１７の制御に基づき、インターネット等のネットワークを介してサーバ装置からディスプレイ１１０に表示させる画面情報等を受信する。
【００２９】
バッテリ１５は、充電及び放電が可能な蓄電池であり、携帯端末１００の動作に必要な電力を蓄電する。ＧＰＳ受信機１６は、複数のＧＰＳ衛星から、測位用データを含む下り回線データを搬送する電波を受信することで、携帯端末１００の現在位置の情報を生成し、制御部１７に送信する。
【００３０】
制御部１７は、図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）などを備え、携帯端末１００内の各構成要素に対して種々の制御を行う。
【００３１】
例えば、制御部１７は、入力部１２により目的地を指定する入力を受け付け、指定された目的地までのルート案内を行う。制御部１７は、本発明における進行方向取得部、検索結果取得部、特定部、経路情報取得部、表示制御部の一例である。
【００３２】
なお、携帯端末１００は、図２に示す各構成要素に加え、加速度センサ、角速度センサ及び距離センサなどの種々の自立測位装置を備えてもよい。あるいは携帯端末１００がより精度の高い位置情報を得るために、ＧＰＳ受信機、加速度センサ、角速度センサ及び距離センサなどを備えた外部装置と通信する構成としてもよい。
【００３３】
［２］施設検索方法
次に、本発明による施設検索方法の実施例を説明する。以下の実施例では、携帯端末１００は、ユーザが指定した施設についてＷｅｂ検索を実行して当該施設に関する情報を取得する。その際、携帯端末１００は、必要に応じて、現在位置、現在走行中の路線、進行方向、案内中のルート情報などに基づいてキーワードを追加してＷｅｂ検索を行う。
【００３４】
（１）第１実施例
第１実施例では、ユーザが施設を選択すると、携帯端末１００はその施設を示す情報、具体的には施設名をキーワードとしてＷｅｂ検索を行う。また、その際に携帯端末１００は、携帯端末１００が搭載された車両などの移動体の進行方向に関する情報を取得し、その情報を自動的にキーワードに追加してＷｅｂ検索を行う。
【００３５】
図３は、第１実施例による施設検索の表示例を示す。図３（ａ）は、携帯端末１００を搭載した車両が高速道路を走行している場合に携帯端末１００のディスプレイ１１０に表示される表示例である。図３（ａ）の例では、ユーザはいわゆるルート検索により目的地までの案内ルートを設定しており、ディスプレイ１１０には、ルート検索により得られた目的地までの案内ルート２０と、車両の現在位置マーク２１とが示されている。この例では、案内ルート２０は高速道路となっており、高速道路に付随するパーキングエリア（ＰＡ）やサービスエリア（ＳＡ）などの施設（以下、「高速道路施設」と呼ぶ。）を示す施設マーク２２が表示されている。
【００３６】
画面上に施設マーク２２が存在する場合、図３（ａ）に示すように、施設情報プレート３０が表示される。施設情報プレート３０は、その高速道路施設の施設名３１と、その高速道路施設への到着予想時刻３２と、施設詳細情報３３と、方向情報３４ａ、３４ｂと、方向表示マーク３５とを含む。
【００３７】
施設情報３３は、その高速道路施設内に存在する各種の施設を示す複数のアイコンを含む。各アイコンは、例えばその高速道路施設に存在するレストラン、ガソリンスタンド、売店などを示す。
【００３８】
一般的に、サービスエリアなどの高速道路施設は、１つの高速道路に対して上り線と下り線に同一の名称でそれぞれ１つずつ設置されていることが多い。このような場合、上り線と下り線の両方の高速道路施設の情報が１つの施設情報プレート３０により示される。具体的に、施設情報３３は、上り線の施設の情報と、下り線の施設の情報とが別々に用意され、表示されている。さらに、施設情報プレート３０は、上り線の高速道路施設であることを示す方向情報３４ａと、下り線の高速道路施設であることを示す方向情報３４ｂとを含む。
【００３９】
方向表示マーク３５は、上り線の高速道路施設と下り線の高速道路施設のうち、現在の進行方向と一致する方の高速道路施設を示す。図３（ａ）の例では、車両は高速道路の上り線を走行しており、方向表示マーク３５は、上り線に対応する方向情報３４ａと、上り線の高速道路施設に存在する施設を示す施設情報３３を囲むことにより、現在近づいている高速道路施設が上り線の高速道路施設であることを示している。
【００４０】
さて、図３（ａ）のように高速道路施設の施設情報プレート３０が表示されている状態で、その高速道路施設について更なる情報を取得したい場合、ユーザはディスプレイ１１０上の施設情報プレート３０にタッチする。
【００４１】
すると、携帯端末１００は、ディスプレイ１１０に、図３（ｂ）に示すような施設詳細画面を表示する。施設詳細画面では、ユーザにより指定された高速道路施設の概略図４１が表示されるとともに、上りボタン４２、下りボタン４３、検索指示ボタン４４が表示される。概略図４１には、その高速道路施設内の概略地図上に各種の施設を示すアイコンが配置されている。上りボタン４２は上り線の高速道路施設を検索する際に選択されるボタンであり、下りボタン４３は下り線の高速道路施設を検索する際に選択されるボタンである。検索指示ボタン４４は、指定した高速道路施設についてＷｅｂ検索を指示するためのボタンである。
【００４２】
図３の例では、車両は高速道路の上り線を走行中であるため、携帯端末１００は施設詳細画面において自動的に上りボタン４２を選択している。即ち、携帯端末１００は、ディスプレイ１１０に表示した高速道路施設がユーザにより選択されると、上りボタン４２と下りボタン４３のうち、その時の車両の進行方向に対応する方のボタンを自動的に選択する。よって、ユーザは、現在の進行方向と一致する上り線側の高速道路施設を検索したい場合には、上りボタン４２にタッチする必要がなく、検索指示ボタン４４のみにタッチすればよい。即ち、現在の進行方向と一致する上り線側の高速道路施設を検索したい場合、ユーザは、図３（ａ）の状態で施設情報プレート３０にタッチし、さらに図３（ｂ）の状態で検索指示ボタン４４にタッチすればよい。なお、図３（ｂ）では、選択されていない下りボタン４３を便宜上破線で示している。
【００４３】
そして、ユーザが検索指示ボタン４４にタッチすると、携帯端末１００は、ユーザが指定した高速道路施設の施設名と、上りボタン４２により選択された「上り」との情報を用いてＷｅｂ検索を行う。
【００４４】
図３（ｃ）は、Ｗｅｂ検索結果の表示例である。図示のように、携帯端末１００は、施設名「○○ＳＡ」と「上り」とをキーワードとしてＷｅｂ検索を実行する。これにより得られた検索結果がディスプレイ１１０に表示される。詳しくは、図３（ｃ）に例における示す検索式は“「○○ＳＡ」ＡＮＤ「上り」”である。
【００４５】
このように、本実施例では、ユーザが高速道路施設を指定してＷｅｂ検索を指示すると、携帯端末１００はそのときの車両の進行方向を示すキーワード「上り」を自動的に追加してＷｅｂ検索を行う。よって、Ｗｅｂ検索の結果として下り線側の高速道路施設の情報を除外することができる。
【００４６】
実際の処理としては、図３（ａ）及び図３（ｂ）の表示画面は、携帯端末１００で実行中のナビゲーションアプリなどによって表示される。そして、図３（ｂ）の状態でユーザが検索指示ボタン４４にタッチすると、携帯端末１００はナビゲーションアプリを継続したまま、検索エンジンにキーワードを与えてＷｅｂ検索を実行し、ナビゲーションアプリとは別ウィンドウを開いて図３（ｃ）に示すような検索結果を表示する。
【００４７】
上記の例において、ユーザが下り線側の高速道路施設をＷｅｂ検索したい場合には、図３（ｂ）の表示状態において、下りボタン４３にタッチした後、検索指示ボタン４４にタッチすればよい。即ち、現在の進行方向とは反対側である下り線側の高速道路施設を検索したい場合、ユーザは、図３（ａ）の状態で施設情報プレート３０にタッチし、図３（ｂ）の状態で下りボタン４３にタッチした後、検索指示ボタン４４にタッチすればよい。この場合、携帯端末１００は、施設名「○○ＳＡ」と「下り」とをキーワードとしてＷｅｂ検索を実行する。
【００４８】
図４は、第１実施例による検索処理のフローチャートである。この処理は、ナビゲーションアプリの実行中に、携帯端末１００の制御部１７が記憶部１３に記憶されたプログラムを実行することにより、所定時間毎に定期的に行われる。
【００４９】
まず、制御部１７は、図３（ａ）のようにナビゲーションアプリが実行されている状態で、高速道路上を走行中であるかを判定する（ステップＳ１０）。高速道路上を走行中でない場合は図３（ａ）のように地図上に施設情報プレート３０が表示されないため、処理は終了する（ステップＳ１０；Ｎｏ）。
【００５０】
高速道路上を走行中である場合は（ステップＳ１０；Ｙｅｓ）、制御部１７は自車周辺の施設の施設情報プレート３０を表示し、ユーザが選択するのを待つ（ステップＳ１１）。この待機状態は高速道路上を走行している間、継続される（ステップＳ１１；Ｎｏ）。
【００５１】
高速道路施設が選択された場合（ステップＳ１１；Ｙｅｓ）、制御部１７は携帯端末１００の現在位置の変化などに基づいて車両の進行方向を判定し（ステップＳ１２）、進行方向に対応するボタン（上りボタン４２又は下りボタン４３）を自動的に選択した状態で図３（ｂ）に例示するような施設詳細画面を表示する（ステップＳ１３）。
【００５２】
次に、図３（ｂ）のような施設詳細画面では、画面上に配置されたボタン４２、４３、および４４をユーザが操作するのを待つ（ステップＳ１４）。これらのボタン以外の操作等によって施設詳細画面が終了となった場合は図３（ａ）のような画面に戻る（ステップＳ１４：Ｎｏ）。
【００５３】
施設詳細画面を表示している間（ステップＳ１４：Ｙｅｓ）にボタン４２、４３、４４のいずれかが選択された場合、制御部１７はそれぞれのボタンに対する処理を行う。具体的に、方向のボタン４２または４３が操作された場合（ステップＳ１５：Ｙｅｓ）、制御部１７は、選択されたボタンに合致する施設の概略図４１を表示する。すなわち、制御部１７は、ボタン４２が選択された場合は上り方向の施設に関する概略図４１を表示し、ボタン４３が選択された場合は下り方向の施設に関する概略図４１を表示するように画面の切り替えをおこなう（ステップＳ１６）。ボタン４２、４３に対する操作が発生していない場合は（ステップＳ１５：Ｎｏ）、制御部１７は画面の切り替えを行わない。
【００５４】
ボタン４４が選択された場合（ステップＳ１７：Ｙｅｓ）、制御部１７はステップＳ１１で選択した施設名（例えば「○○ＳＡ」）を第１キーワードとし、施設詳細画面におけるボタン４２と４３の選択状態に応じた言葉、すなわち「上り」、「下り」といった方向を示す言葉を第２キーワードとしてＷｅｂ検索を行う（ステップＳ１８）。そして、制御部１７は、別ウィンドウを開いて、図３（ｃ）に例示するように検索結果を表示する（ステップＳ１９）。一方、ボタン４４が選択されなかった場合、制御部１７は引き続きユーザ操作に対する待機を行う（ステップＳ１７：Ｎｏ）。
【００５５】
（応用例１）
上記の実施例においては高速道路を構成する２つの方向の路線を上り線と下り線と表現している。都市から放射状に延びる高速道路についてはこのように「上り／下り」として２つの路線を区別することが多いが、環状線と呼ばれる道路のように都市の周辺に環状に延びる高速道路については、２つの路線を「内回り／外回り」或いは「東行き／西行き」などと表現して区別する場合もある。このような高速道路については、必要に応じて、「上り／下り」との表現の代わりに、又はそれに加えて、「内回り／外回り」或いは「東行き／西行き」との表現をキーワードに加えてＷｅｂ検索を行うことが好ましい。例えば、図３の例において、「上り」の路線が「東行き」と呼ばれることも多いという場合には、「上り」と「東行き」をＯＲ検索するキーワードとして追加し、検索式“「○○ＳＡ」ＡＮＤ（「上り」ＯＲ「東行き」）”による検索を実行してもよい。
【００５６】
この場合、高速道路の２路線を区別する表現として「上り／下り」を使用するか、「東行き／西行き」を使用するか、これら両方を使用するかを、高速道路毎又は高速道路施設毎に予め決定し、地図データに含めて記憶しておくのが望ましい。これにより、携帯端末１００は、ユーザが高速道路施設を指定したときに、その高速道路施設については「上り／下り」、「東行き／西行き」のいずれか又は両方を使用して検索を行うことができる。
【００５７】
（応用例２）
ユーザが指定した高速道路施設が案内ルート外にある場合や、走行中の高速道路上の後方にある場合など、車両が上り線と下り線のいずれを走行するかを判断できないような場合には、携帯端末１００は、「上り」、「下り」などの進行方向に関連するキーワードを追加しないこととしてもよい。
【００５８】
（応用例３）
高速道路施設が上り線と下り線のうち一方にのみ存在する場合、上下線に共通する１つの高速道路施設が存在する場合、上下線について個別に高速道路施設が存在するものの人間がそれらの施設間を徒歩で移動できる場合など、上下線を区別する必要が無い場合にも、進行方向に関連するキーワードを追加しないこととしてもよい。
【００５９】
（応用例４）
ユーザが既に通過した高速道路施設を指定した場合には、ユーザが帰り道でその高速道路施設に寄るつもりであると推測し、現在の進行方向と反対側を示すキーワードを追加してもよい。例えば、下り線を走行中に、ユーザが既に通過した高速道路施設を指定した場合には「上り」をキーワードに追加して検索を行うこととしてもよい。なお、既に通過した高速道路施設であるか否かは、案内ルートと現在位置との関係や、現在位置の変化などにより決定することができる。
【００６０】
（２）第２実施例
第１実施例では、車両の進行方向に基づいてキーワードを追加しているが、第２実施例はさらに高速道路施設への到着（通過）予想時刻に基づいてさらにキーワードを追加する。  １つの具体例として、ユーザが指定した高速道路施設の到着予想時刻が食事時間と一致する場合には、携帯端末１００はＷｅｂ検索のキーワードとして「食事」を追加する。この場合の検索結果の表示例を図５（ａ）に示す。これにより、ユーザが食事時間に高速道路施設に到着する場合に食事に関連する検索結果がより多く得られるようになる。
【００６１】
別の具体例として、ユーザが指定した高速道路施設の到着予想時刻が深夜である場合には、携帯端末１００はＷｅｂ検索のキーワードとして「営業時間」を追加する。この場合の検索結果の表示例を図５（ｂ）に示す。これにより、ユーザが深夜に高速道路施設に到着する場合に、そこにある各施設が営業しているか否かに関するより多くの情報をユーザに提供できるようになる。
【００６２】
（３）第３実施例
第２実施例では、高速道路施設への到着予想時刻に基づいてさらに自動でキーワードを追加しているが、第３実施例では追加するキーワードを選択肢としてユーザに提示し、ユーザに選択させる。
【００６３】
具体的に、図３（ｂ）に例示する表示画面でユーザが検索指示ボタン４４にタッチすると、携帯端末１００は図６（ａ）に示すように、追加キーワードリスト４６を表示する。追加キーワードリスト４６は、ユーザの関心が高いと思われるキーワードをリスト表示しており、キーワードを追加しないことを示す選択し（「なし」）を含んでいる。ユーザが追加キーワードリスト４６を見て追加すべきキーワードを選択すると、携帯端末１００は、ユーザが選択したキーワードを追加してＷｅｂ検索を行う。これにより、ユーザがキーワードを入力することなく意図に沿った検索結果を容易に得ることができる。
【００６４】
（４）第４実施例
第４実施例では、図３（ｂ）に示す施設詳細画面において、高速道路施設の概略図４１内の施設のアイコンを選択可能とし、ユーザにより選択された施設に関連するキーワードを追加してＷｅｂ検索を行う。例えば図６（ｂ）に示すように高速道路施設の概略図４１には、レストラン、ガソリンスタンド、コーヒーショップなどの各種の施設のアイコンが表示されている。ユーザがいずれかの施設のアイコンを選択すると、携帯端末１００はその施設に関連するキーワードを追加してＷｅｂ検索を行う。図６（ｂ）に示すように、ユーザがレストランのアイコンを選択すると、携帯端末１００はキーワード「食事」を追加して検索を行う。また、ユーザがガソリンスタンドのアイコンを選択すると、携帯端末１００はキーワード「ガソリンスタンド」を追加して検索を行う。これにより、ユーザの意図に沿った検索結果を得ることができる。なお、第４実施例は、上記の第１〜第３実施例のいずれかと組み合わせて実施することもできる。
【００６５】
（５）第５実施例
第１実施例では、図３（ａ）に例示する表示画面でユーザが高速道路施設を指定した後、さらに図３（ｂ）に例示する表示画面で検索指示ボタン４４を押して検索指示を行ったときにＷｅｂ検索が実行される。これに対し、第５実施例では、携帯端末１００は、車両がその高速道路施設に進入して停車したときに自動的にＷｅｂ検索を実行する。これにより、ユーザが検索指示を行わなくても、車両が高速道路施設に到着すると自動的にＷｅｂ検索が行われて携帯端末１００に検索結果が表示されることになる。
【００６６】
図７は第５実施例における表示例を示す。図７（ａ）に示すようにナビゲーションアプリにより地図が表示された状態で車両がその高速道路施設から所定距離に近づくと、携帯端末１００は図７（ｂ）に示す表示画面（施設詳細画面）を表示する。図７（ｂ）の表示画面では、上側に現在地周辺の地図４８が表示され、下側には高速道路施設の概略図４１が表示されている。そして、車両が高速道路施設に進入して停車したときに、携帯端末１００はＷｅｂ検索を行い、図７（ｃ）に示すようにその検索結果を表示する。なお、この場合の検索は、第１実施例と同様に、ユーザが指定した高速道路施設名「○○ＳＡ」と、その際の車両の進行方向「上り」をキーワードとして行われる。
【００６７】
このように、第５実施例では、ユーザが検索指示を行わなくても、車両がその高速道路施設に到着したときに自動的にＷｅｂ検索が行われて検索結果が表示される。よって、ユーザの操作を減らすことができるとともに、車両が高速道路施設に到着したタイミングで検索結果を提示することができる。
【００６８】
図８は、第５実施例による検索処理のフローチャートである。第５実施例においても、この処理はナビゲーションアプリの実行中に、携帯端末１００の制御部１７が記憶部１３に記憶されたプログラムを実行することにより、所定時間毎に定期的に行われる。
【００６９】
図８において、ステップＳ２０は、図４に示す第１実施例の検索処理のステップＳ１０と同様であるので説明を省略する。制御部１７は、自車が高速道路施設まである程度近づくまでは図７（ａ）のような画面状態を継続するが（ステップＳ２１：Ｎｏ）、高速道路施設にある程度以上接近した場合（ステップＳ２１：Ｙｅｓ）、図４に示す第１実施例の検索処理のステップＳ１２と同様の進行方向判定を行い（ステップＳ２２）、図７（ｂ）のように対象施設の概略図４１を画面上に表示する（ステップＳ２３）。なお、この概略図４１は、図７（ｂ）のように、自車位置周辺の地図４８とともに表示するようにしても良い。
【００７０】
次に、制御部１７は、車両がステップＳ２３で表示した高速道路施設に進入して停車したか否かを判定する（ステップＳ２４）。なお、車両が高速道路施設に進入したか否かは、高速道路施設の位置情報と車両の現在位置との関係、高速道路施設に流入する道路のリンクと車両の現在位置の関係などに基づいて判定される。また、車両が停止したか否かは車両の現在位置の変化などに基づいて判定される。
【００７１】
車両が高速道路施設に進入して停車していない場合（ステップＳ２４；Ｎｏ）、処理はステップＳ２１に戻る。このとき、現在位置が高速道路施設より手前であれば、制御部１７は施設の概略図４１の表示（図７（ｂ）の表示）を継続する（ステップＳ２１の再判定：Ｙｅｓ）が、高速道路施設を通過した場合（ステップＳ２１の再判定：Ｎｏ）は、施設の概略図４１の表示を終了し、図７（ａ）のような画面に戻る。一方、車両が高速道路施設に進入して停車した場合（ステップＳ２４；Ｙｅｓ）、携帯端末１００はステップＳ２３で表示した施設名称を第１キーワードとし、ステップＳ２２で判定された進行方向を第２キーワードとしてＷｅｂ検索を行い（ステップＳ２５）、図７（ｃ）のようにその結果を表示する（ステップＳ２６）。
【００７２】
（応用例）
上記の例では、車両が高速道路施設に進入し、かつ、停車したときにＷｅｂ検索を行っているが、車両が高速道路施設に進入したことのみを条件としてＷｅｂ検索を行うこととしてもよい。また、上記の例では、図７（ａ）に例示するナビゲーション画面において高速道路施設に車両が到着したときにＷｅｂ検索を行っているが、その代わりに、ユーザが目的地までのルート探索を行って案内ルートを決定する際に立ち寄り地に指定した高速道路施設に車両が到着したときに限定して自動的にＷｅｂ検索を行うこととしてもよい。
【００７３】
第５実施例を第１実施例と組み合わせて実施することができる。この場合、ユーザが高速道路施設を選択した後、ユーザが検索指示ボタン４４にタッチして検索を指示するか、又は、ユーザが検索を指示することなく車両がその高速道路施設に進入して停車したときにＷｅｂ検索が行われる。
【００７４】
また、第５実施例を第２実施例と組み合わせて実施することもできる。この場合、車両が高速道路施設に進入して停車したときに、携帯端末１００は第２実施例のように到着予想時刻又はそのときの現在時刻に基づいてさらに「食事」、「営業時間」などのキーワードを追加してＷｅｂ検索を行う。
【００７５】
［変形例］
（変形例１）
上記の各実施例は、ルート検索を行い目的地までの案内ルートを設定している場合の例であったが、本発明は案内ルートを設定していない場合においても適用することができる。案内ルートを設定していない場合であっても、現在位置の推移などに基づいて車両の進行方向などを検出し、これに基づいてキーワードを付加して検索を実行することができる。
【００７６】
（変形例２）
ナビゲーションアプリが音声入力（音声認識）機能を備える場合には、ユーザが施設名称を指定してＷｅｂ検索の要求を発話した際に、携帯端末１００が自動的に進行方向に関するキーワードを追加することとしてもよい。例えば、ユーザが「○○ＳＡについてＷｅｂ検索」などと発話した際、携帯端末１００は指定された施設と進行方向あるいは案内ルートとの位置関係から判断して自動的に「上り」または「下り」のキーワードを追加して検索を実行する。なお、本変形例は、先の第３実施例と組み合わせて実施することもできる。この場合、ユーザが「○○ＳＡについてＷｅｂ検索」などと発話した際、携帯端末１００はその施設がルート上に存在するかを判断し、存在する場合は到着予想時刻に基づいてさらに「食事」、「営業時間」などのキーワードを自動的に追加してＷｅｂ検索を行う。
【００７７】
（変形例３）
携帯端末１００に代えて、ネットワークを介して接続したサーバ装置が検索処理の一部を実行してもよい。
【００７８】
図９は、変形例３に係るシステムの構成例を示す。図９に示すように、携帯端末１００は、ネットワーク１５０を介してサーバ装置２００と接続している。そして、携帯端末１００は、サーバ装置２００から必要な情報を受信することでルート案内及びＷｅｂ検索を行う。
【００７９】
具体的には、携帯端末１００は、ユーザが指定した目的地、立ち寄り地及び携帯端末１００の現在位置などをサーバ装置２００に送信する。サーバ装置２００は、これらの情報に基づいてルート検索を行って案内ルートを決定し、その情報を携帯端末１００に送信する。携帯端末１００はサーバ装置２００から受信した案内ルートに従ってルート案内を行う。
【００８０】
また、Ｗｅｂ検索を行う際、携帯端末１００は、ユーザが選択した高速道路施設の施設名（例えば「○○ＳＡ」）、車両の進行方向（例えば「上り」）、到着予想時間に基づいて決定されたキーワード（例えば「食事」）などをサーバ装置２００へ送信する。サーバ装置２００は、受信したキーワードを用いてＷｅｂ検索を行い、その結果を携帯端末１００へ送信する。携帯端末１００は、サーバ装置２００から受信した検索結果を表示する。
【符号の説明】
【００８１】
１０  バス
１１  出力部
１２  入力部
１３  記憶部
１４  通信部
１５  バッテリ
１６  ＧＰＳ受信機
１７  制御部
１００  端末装置
１１０  ディスプレイ
１２０  タッチパネル
１５０  ネットワーク
２００  サーバ装置
【図１】
2019194866.tif 000003
【図２】
2019194866.tif 000004
【図３】
2019194866.tif 000005
【図４】
2019194866.tif 000006
【図５】
2019194866.tif 000007
【図６】
2019194866.tif 000008
【図７】
2019194866.tif 000009
【図８】
2019194866.tif 000010
【図９】
2019194866.tif 000011